(57)【要約】【課題】  修理センタのＵＲＬが不明でも、また、利用者ＩＤやシリアル番号を入力せずに、入力ミスを防止して、容易に製造メーカ又は修理センタに修理の依頼が行える修理依頼システム，修理依頼サーバ，修理依頼方法及びプログラム並びに記憶媒体を提供する。【解決手段】  本発明の修理依頼サーバは、情報端末からネットワークを介して、利用者から製品の修理依頼を受注するであり、製品に添付されているコード情報を読み込み、修理依頼サーバのＵＲＬ及び前記製品のシリアル番号を抽出し、アクセスしてきた前記情報端末から、ネットワークを介して入力される該シリアル番号により、製品の利用者ＩＤ及び製品の種類を特定する製品検索部と、製品の種類及び情報端末から入力される故障の現象情報により、修理箇所，交換部品及びその金額を抽出する故障情報検索部とを有する。【選択図】    図２
2006172429.tif 000002
【特許請求の範囲】
【請求項１】
情報端末からネットワークを介して、修理依頼サーバが利用者から製品の修理依頼を受注する修理依頼システムであり、
前記情報端末が、
前記製品に添付されているコード情報を読み込む読み込み手段と、
前記コード情報から、前記修理依頼サーバのＵＲＬ及び前記製品のシリアル番号を抽出する抽出手段と、
前記ＵＲＬに対して修理依頼のアクセスを行うインターフェース手段と
を有し、
前記修理依頼サーバが、
前記情報端末から入力されるシリアル番号により、前記製品の利用者ＩＤ及び製品の種類を特定する製品検索部と、
前記製品の種類及び前記情報端末から入力される故障の現象情報により、修理箇所，交換部品及びその金額を抽出する故障情報検索部と
を有する
ことを特徴とする修理依頼システム。
【請求項２】
前記製品における故障現象も前記コード情報に含まれていることを特徴とする請求項１記載の修理依頼システム。
【請求項３】
前記読み込み手段が、製品の自己診断手段が表示画面に表示する、故障結果を示す診断コード情報を読み込み、前記抽出手段が診断コード情報から故障現象を抽出し、前記インターフェース手段を介して、前記依頼サーバへ抽出された故障現象を示す情報を送信することを特徴とする請求項１に記載の修理依頼システム。
【請求項４】
情報端末からネットワークを介して、修理依頼サーバが利用者から製品の修理依頼を受注する修理依頼システムであり、
前記情報端末が、
前記製品に添付されているコード情報を読み込む読み込み手段と、
前記コード情報から、アプリケーションプログラムのコード情報を抽出して、このアプリケーションプログラムを実行するプログラム実行手段を有し、
前記アプリケーションプログラムが前記コード情報から、前記修理依頼サーバのＵＲＬ，前記製品のシリアル番号，製品の種類及び故障現象の一覧を抽出し、前記故障現象の一覧表を表示部に表示させ、前記ＵＲＬに対して、製品番号及び上記一覧表から選択された故障現象を送信し、この対応する故障の修理に必要な部品金額及び修理金額を修理依頼サーバから入力し、修理にかかる金額を計算して、シリアル番号及び修理の依頼を行う信号を送信し、
前記修理依頼サーバが、
携帯情報端末から入力される製品番号及び故障現象から、修理に必要な部品金額及び修理金額を情報端末へ送信する故障情報検索部と、
前記情報端末から入力されるシリアル番号及び修理の依頼を行う信号により、修理の依頼を受け付ける受付制御部と
を有する
ことを特徴とする修理依頼システム。
【請求項５】
情報端末からネットワークを介して、利用者から製品の修理依頼を受注する修理依頼サーバであり、
前記製品に添付されているコード情報を読み込み、修理依頼サーバのＵＲＬ及び前記製品のシリアル番号を抽出し、アクセスしてきた前記情報端末から、ネットワークを介して入力される該シリアル番号により、前記製品の利用者ＩＤ及び製品の種類を特定する製品検索部と、
前記製品の種類及び前記情報端末から入力される故障の現象情報により、修理箇所，交換部品及びその金額を抽出する故障情報検索部と
を有することを特徴とする修理依頼サーバ。
【請求項６】
前記製品検索部が、前記シリアル番号により、利用者の前記製品の保守契約を結んだか否か、及び保証期間内か否かの検出を行い、
交換部品の金額，保守契約の有無及び保証期間内か否かにより、修理費用の見積金額を計算して、修理の確認書を生成する確認書生成部を有することを特徴とする請求項４記載の修理依頼サーバ。
【請求項７】
情報端末からネットワークを介して、修理依頼サーバが利用者から製品の修理依頼を受注する修理依頼方法であり、
前記製品に添付されているコード情報を読み込み、修理依頼サーバのＵＲＬ及び前記製品のシリアル番号を抽出し、アクセスしてきた前記情報端末から、ネットワークを介して入力される該シリアル番号により、前記製品の利用者ＩＤ及び製品の種類を、製品検索部が特定する製品検索過程と、
前記製品の種類及び前記情報端末から入力される故障の現象情報により、修理箇所，交換部品及びその金額を、故障情報検索部が抽出する故障情報検索過程と
を有することを特徴とする修理依頼方法。
【請求項８】
前記製品検索過程において、前記シリアル番号により、利用者の前記製品の保守契約を結んだか否か、及び保証期間内か否かの検出が行われ、
確認書生成部が交換部品の金額，保守契約の有無及び保証期間内か否かにより、修理費用の見積金額を計算して、修理の確認書を生成する確認書生成過程を有することを特徴とする請求項７記載の修理依頼方法。
【請求項９】
情報端末からネットワークを介して、修理依頼サーバが利用者から製品の修理依頼を受注する修理依頼処理を行うプログラムであり、
前記製品に添付されているコード情報を読み込み、修理依頼サーバのＵＲＬ及び前記製品のシリアル番号を抽出し、アクセスしてきた前記情報端末から、ネットワークを介して入力される該シリアル番号により、前記製品の利用者ＩＤ及び製品の種類を特定する製品検索処理と、
前記製品の種類及び前記情報端末から入力される故障の現象情報により、修理箇所，交換部品及びその金額を抽出する故障情報検索処理と
を有する修理依頼処理をコンピュータに実行させるプログラム。
【請求項１０】
請求項９に記載のプログラムを記録したコンピュータ読み取り可能な記録媒体。
【発明の詳細な説明】
【技術分野】
【０００１】
本発明は、利用者がコンピュータや電化製品などの電気製品の故障時に、その電気製品の修理を保守センタ等に依頼する修理依頼システム，修理依頼サーバ，修理依頼方法及びプログラム並びに記憶媒体に関する。
【背景技術】
【０００２】
従来、コンピュータや電化製品等の電気製品が故障すると、この電気製品を購入した販売店に連絡して、この販売店を通して修理の依頼を製造メーカまたはこの製造メーカの修理センタに、修理を依頼している。
しかしながら、仕事をしている利用者などは、連絡可能となる帰宅時間に販売店がすでにしまっており、修理依頼ができなかったり、休日であり、製造メーカや修理センタが休みで修理の依頼がすぐにできない等の問題がある。
上述した問題を解決するため、インターネットを介して、修理の受付を２４時間行ことが可能な製品修理システムが考えられている（例えば、特許文献１参照）。
【特許文献１】特開２００２−３５２０２６号公報
【発明の開示】
【発明が解決しようとする課題】
【０００３】
しかしながら、特許文献１に示す製品修理システムにあっては、所定のフォーマットの電子メールにより修理センタなどに修理を依頼しているため、電子メールを送付するメールアドレスが不明の場合、修理依頼自体が行えず、また、上記フォーマットにおいて、利用者固有の識別情報である利用者ＩＤや電気製品のシリアル番号（または製造番号）を、入力する際に間違えて入力する場合、修理センタのサーバにおいて依頼の受付が不可能となる欠点がある。
これにより、製品修理システムにあっては、修理依頼を受け付けることができず、利用者に対し、利用者ＩＤやシリアル番号を再確認する内容の電子メールを出し、利用者が再度、修理依頼の電子メールを送信する必要があり、依頼がスムーズに行かずに、利用者に製造メーカの顧客対応に不信感を生じさせるという問題がある。
また、特許文献１に示す製品修理システムにあっては、インターネットを介して、２４時間修理依頼を受け付けていたとしても、故障した製品がパーソナルコンピュータ（以下、ＰＣ）である場合、修理センタのサーバに対して、ＰＣを用いてインターネットを介してホームページにアクセスしたり、あるいは電子メールによって、故障した製品の修理依頼を行うことができないという問題がある。
【０００４】
本発明は、このような事情に鑑みてなされたもので、修理センタのＵＲＬが不明であっても、また、利用者ＩＤやシリアル番号を入力せずに、入力ミスを防止して、容易に製造メーカまたは修理センタに修理の依頼が行える修理依頼システム，修理依頼サーバ，修理依頼方法及びプログラム並びに記憶媒体を提供することを目的とする。
【課題を解決するための手段】
【０００５】
本発明の修理依頼システムは、情報端末からネットワークを介して、修理依頼サーバが利用者から製品の修理依頼を受注する修理依頼システムであり、前記情報端末が、前記製品に添付されているコード情報を読み込む読み込み手段と、前記コード情報から、前記修理依頼サーバのＵＲＬ及び前記製品のシリアル番号を抽出する抽出手段と、前記ＵＲＬに対して修理依頼のアクセスを行うインターフェース手段（入出力制御部）とを有し、前記修理依頼サーバが、前記情報端末から入力されるシリアル番号により、前記製品の利用者ＩＤ及び製品の種類を特定する製品検索部と、前記製品の種類及び前記情報端末から入力される故障の現象情報により、修理箇所，交換部品及びその金額を抽出する故障情報検索部とを有することを特徴とする。
これにより、本発明は、故障した修理対象の装置に添付されているコード情報から、ＵＲＬ及び装置のシリアル番号を抽出して、このＵＲＬにアクセスし、シリアル番号を送信するので、利用者が修理センタや製造メーカのＵＲＬを知らなくとも、一々検索して入力する手間が省け、シリアル番号を手入力することによる入力ミスを防止することができ、容易に修理依頼を行うことができる。
【０００６】
本発明の修理依頼システムは、前記製品における故障現象も前記コード情報に含まれていることを特徴とする。
これにより、本発明の修理依頼システムは、シリアル番号とともに、現象番号が入力されるため、故障の現象を検索する工程が省略でき、修理依頼の処理を短縮することができる。
本発明の修理依頼システムは、前記読み込み手段が、製品の自己診断手段が表示画面に表示する、故障結果を示す診断コード情報を読み込み、前記抽出手段が診断コード情報から故障現象を抽出し、前記インターフェース手段を介して、前記依頼サーバへ抽出された故障現象を示す情報を送信することを特徴とする。
これにより、本発明の修理依頼システムは、利用者が故障内容を把握できないとしても、自己診断手段が起動されない、または画面表示が行えない故障の場合以外、正確な故障原因を修理依頼サーバに通知することが可能となる。
【０００７】
本発明の修理依頼システムは、情報端末からネットワークを介して、修理依頼サーバが利用者から製品の修理依頼を受注する修理依頼システムであり、前記情報端末が、前記製品に添付されているコード情報を読み込む読み込み手段と、前記コード情報から、アプリケーションプログラムのコード情報を抽出して、このアプリケーションプログラムを実行するプログラム実行手段を有し、前記アプリケーションプログラムが前記コード情報から、前記修理依頼サーバのＵＲＬ，前記製品のシリアル番号，製品の種類及び故障現象の一覧を抽出し、前記故障現象の一覧表を表示部に表示させ、前記ＵＲＬに対して、製品番号及び上記一覧表から選択された故障現象を送信し、この対応する故障の修理に必要な部品金額及び修理金額を修理依頼サーバから入力し、修理にかかる金額を計算して、シリアル番号及び修理の依頼を行う信号を送信し、前記修理依頼サーバが、携帯情報端末から入力される製品番号及び故障現象から、修理に必要な部品金額及び修理金額を情報端末へ送信する故障情報検索部と、前記情報端末から入力されるシリアル番号及び修理の依頼を行う信号により、修理の依頼を受け付ける受付制御部とを有することを特徴とする。
これにより、本発明の修理依頼システムは、上述した修理依頼システムにおける、ＵＲＬを知らなくとも、一々検索して入力する手間が省け、シリアル番号を手入力することによる入力ミスを防止するという効果に加え、コード情報に記録されたアプリケーションプログラムを実行して確認書の生成及び、利用者の確認処理までを情報端末側で行うため、修理依頼サーバの負荷を削減して、修理情報サーバが情報端末からの修理依頼のアクセスに対して高速に対応することが可能となる。
【０００８】
本発明の修理依頼サーバは、情報端末からネットワークを介して、利用者から製品の修理依頼を受注するものであり、前記製品に添付されているコード情報を読み込み、修理依頼サーバのＵＲＬ及び前記製品のシリアル番号を抽出し、アクセスしてきた前記情報端末から、ネットワークを介して入力される該シリアル番号により、前記製品の利用者ＩＤ及び製品の種類を特定する製品検索部と、前記製品の種類及び前記情報端末から入力される故障の現象情報により、修理箇所，交換部品及びその金額を抽出する故障情報検索部とを有することを特徴とする。
これにより、本発明の修理依頼サーバは、利用者の情報端末から送信される、製品に添付されているコード情報に含まれるシリアル番号により、この製品の修理依頼の処理を行うため、利用者によるシリアル番号の入力ミスによる処理の遅延が無くなり、入力ミスの負荷を削減することができ、修理情報サーバが情報端末からの修理依頼のアクセスに対して高速に対応することが可能となる。
【０００９】
本発明の修理依頼サーバは、前記製品検索部が、前記シリアル番号により、利用者の前記製品の保守契約を結んだか否か、及び保証期間内か否かの検出を行い、交換部品の金額，保守契約の有無及び保証期間内か否かにより、修理費用の見積金額を計算して、修理の確認書を生成する確認書生成部を有することを特徴とする。
通常、保守契約をしているか否か、または製品の保証期間内か否かにより、修理にかかる費用が異なるため、従来の修理依頼サーバは、利用者側から提供される製品の保証期間または保守契約の有無を用いて、保守契約や保証期間の有無を確認して見積もりを行うため、これらが見つからないと修理費用が異なることになり、修理依頼を行う際に、利用者にとって負荷をかける欠点となっている。
しかしながら、本発明の修理依頼サーバは、サーバに記憶された製品の固有情報から保守契約や保証期間の有無を検出して、この検出結果により修理費用の見積金額を計算するため、修理依頼の際の利用者の負荷を低減させることができる。
【００１０】
本発明の修理依頼方法は、情報端末からネットワークを介して、修理依頼サーバが利用者から製品の修理依頼を受注する修理依頼方法であり、前記製品に添付されているコード情報を読み込み、修理依頼サーバのＵＲＬ及び前記製品のシリアル番号を抽出し、アクセスしてきた前記情報端末から、ネットワークを介して入力される該シリアル番号により、前記製品の利用者ＩＤ及び製品の種類を、製品検索部が特定する製品検索過程と、前記製品の種類及び前記情報端末から入力される故障の現象情報により、修理箇所，交換部品及びその金額を、故障情報検索部が抽出する故障情報検索過程とを有することを特徴とする。
【００１１】
本発明の修理依頼方法は、前記製品検索過程において、前記シリアル番号により、利用者の前記製品の保守契約を結んだか否か、及び保証期間内か否かの検出が行われ、確認書生成部が交換部品の金額，保守契約の有無及び保証期間内か否かにより、修理費用の見積金額を計算して、修理の確認書を生成する確認書生成過程を有することを特徴とする。
【００１２】
本発明の修理依頼処理プログラムは、情報端末からネットワークを介して、修理依頼サーバが利用者から製品の修理依頼を受注する修理依頼処理を行うプログラムであり、前記製品に添付されているコード情報を読み込み、修理依頼サーバのＵＲＬ及び前記製品のシリアル番号を抽出し、アクセスしてきた前記情報端末から、ネットワークを介して入力される該シリアル番号により、前記製品の利用者ＩＤ及び製品の種類を特定する製品検索処理と、前記製品の種類及び前記情報端末から入力される故障の現象情報により、修理箇所，交換部品及びその金額を抽出する故障情報検索処理とを有する修理依頼処理をコンピュータに実行させるプログラムである。
本発明の記録媒体は、上記記載の修理依頼処理プログラムを記録したコンピュータ読み取り可能な記録媒体である。
【発明を実施するための最良の形態】
【００１３】
＜第１の実施形態＞
以下、本発明の一実施形態による修理依頼システムを図面を参照して説明する。図１は同実施形態による修理依頼システムの構成例を示すブロック図である。
この図１において、公衆回線情報網，専用回線情報網及びインターネットからなる情報通信網（ネットワーク）を介して、利用者から修理の依頼を受けるメーカの修理依頼サーバＳと、この修理依頼サーバＳに注文を行う利用者の利用者端末Ｕ，…，携帯情報端末Ｋとから構成されている。
携帯情報端末Ｋは、携帯電話またはＰＨＳ（登録商標）であり、基地局Ｃ及びネットワークＫを介して修理依頼サーバに接続される。
利用者端末Ｕ及び携帯情報端末Ｋ各々にはブラウザが搭載されており、修理依頼サーバＳは例えばパーソナルコンピュータなどを製造するメーカに設けられ、インターネット等を介して、コンピュータの注文を行うためアクセスしてきた利用者の保持する利用者端末Ｕ及び携帯情報端末Ｋと、例えばＨＴＴＰ等のプロトコルに従ってデータ通信を行う（インターフェース手段に相当）ことで、インターネットウェブ上にてホームページを開設するＷＷＷサーバとして機能する。
【００１４】
すなわち、修理依頼サーバＳは、利用者端末Ｕや携帯情報端末Ｋからの注文要求に応じて、例えばＨＴＭＬ等のデジタル文書記述言語により記述された文書データよりなる、各商品に対する修理情報などの画面構成データを、要求した利用者端末Ｕや携帯情報端末Ｋへ送信する。
また、修理依頼サーバＳは、各利用者端末Ｕや携帯情報端末Ｋとの間において、ＰＯＰ３・ＳＭＴＰやＨＴＴＰ等のプロトコルに従って電子メールの送受信を行うこともできる。
修理依頼サーバＳの送信する画面構成データには、画像などの付帯データを貼付することができる。また、文書データに含まれるテキスト、ボタン、図形、写真などの各構成要素には他の文書データへのリンクを設定することも可能である。
このリンクが設定されたテキストやボタン等が利用者端末Ｕの表示画面により、ポインティングデバイス等にて選択されると、修理依頼サーバＳはリンク先の文書データを利用者端末Ｕや携帯情報端末Ｋへ送信する。
【００１５】
次に、図２は図１に示す同実施形態の修理依頼システムにおける修理依頼サーバＳの構成例を示すブロック図である。
この図において、修理依頼サーバＳは、携帯情報端末Ｋ（または利用者端末Ｕ）から、動作不良となった製品の修理を、情報通信網を介して依頼される。
各製品には、製品本体のシリアル番号（製造番号）及び製造メーカ（または修理センタ）のＵＲＬ（Uniform Resource Lacator）の情報を含む複数のデータを示すバーコードや２次元バーコード（２次元コード）等のコード画像（コード情報）がシール等に印刷されて添付されている。
【００１６】
利用者端末Ｕ及び携帯情報端末Ｋは、ＣＣＤを用いたデジタルカメラなど、コード画像を撮影して読みとる撮像装置（読み込み手段）が設けられており、撮影したコード画像からシリアル番号及びＵＲＬを抽出するバーコードを抽出する抽出手段が設けられている。
利用者端末Ｕ及び携帯情報端末Ｋは、読みとったシリアル番号を添付して、インターフェース部（データの送受信手段）を介して上記ＵＲＬへのアクセスを行い、修理依頼を行う。
修理依頼サーバＳは、利用者端末Ｕ及び携帯情報端末Ｋからの修理依頼に対応して、利用者から通知される故障の現象から、修理の見積もりを計算して、利用者端末Ｕ（または携帯情報端末Ｋ）へ見積書を送信する。
【００１７】
次に、図２を参照して、図１の一実施形態による修理依頼サーバＳの構成の説明を行う。図２は、一実施形態による修理依頼サーバＳの構成例を示すブロック図である。以下、修理依頼が携帯情報端末Ｋから入力されたとして説明する。
入出力御部１は、携帯情報端末Ｋから修理依頼のアクセスがあると、入力されるシリアル番号を製品検索部２へ出力する。
製品検索部２は、入力されるシリアル番号により、出荷履歴データベース３から、購入した利用者を識別する識別情報である利用者ＩＤと、製品の種類を示す製品番号（型番）と、購入時の製品の構成情報（基本構成と付加された構成部品の組合せ情報）と、保証期間情報（保証期間の期日）と、購入時に保守サービスの契約がされているか否かの購入時保守サービス情報とを読み出し、故障情報検索部４及び確認書生成部５へ出力する。
【００１８】
出荷履歴データベース３には、図３に示す表構成として、販売された製品のシリアル番号に対応して、利用者ＩＤと、製品番号と、構成情報と、保証期間情報と、購入時保守サービス情報とが、出荷履歴テーブルとして登録されている。
故障情報検索部４は、入力される製品の製品番号により、故障情報データベース６から、この製品番号に対応した故障現象の故障現象名（または現象の状態）の一覧表の画像データ及びテキストデータを抽出して、入出力制御部１を介して携帯情報端末Ｋに送信する。
故障データベース６には、図４に示す表構成として、製品番号毎に、現象番号に対応して、故障の現象状態を示す故障現象名と、この現象に対応する修理箇所と、修理として交換が必要な交換部品と、交換部品の金額である部品金額と、修理に要する費用である修理金額とが故障情報テーブルとして登録されている。
【００１９】
また、故障情報検出部４は、形態情報端末Ｋから送信される、上記一覧表から選択された故障現象名に対応する現象番号のデータを入力し、この現象番号に対応する故障現象名，修理箇所，交換部品，部品金額及び修理金額を、確認書生成部５へ出力する。
確認書生成部５は、製品番号と、構成情報と、保証期間情報と、購入時保守サービス情報と、故障現象名と、修理箇所と、交換部品と、部品金額と、修理金額とにより、図５に示す確認書を生成し、携帯情報端末Ｋへ送信する。
受付制御部７は、携帯情報端末Ｋにおいて、確認書の画像上の確認ボタン，キャンセルボタンのいずれかが選択されることにより入力される確認信号またはキャンセル信号により、修理依頼の受付処理を行う。
【００２０】
次に、図１、図２および図６を参照し、一実施形態の動作を説明する。図６は図１の修理依頼システムにおける製品の修理依頼の流れの一例を示すフローチャートである。
例えば、製品としてパーソナルコンピュータが故障し、カメラ付き携帯電話などの携帯情報端末Ｋから修理依頼を行うとして、以下に、本実施形態の製品に対する修理依頼の処理を説明する。
利用者は、コンピュータが故障したため、このコンピュータの修理依頼を行うため、本体ケースの側面等に貼付されているシールのコード画像、例えば２次元コードを、携帯情報端末Ｋのデジタルカメラ（撮像装置）により撮影する（ステップＳ１）。
【００２１】
これにより、携帯情報端末Ｋの抽出手段は、デジタルカメラの読み込んだ２次元コードから、装置のシリアル番号と、製造メーカ（または修理センタ等の修理を依頼される部署）のＵＲＬを抽出する。
そして、携帯情報端末Ｋは、読み出されたＵＲＬの示すホームページに対してアクセスを行い、シリアル番号を送信する（ステップＳ２）。
【００２２】
次に、入出力制御部１は、上記ＵＲＬに対してアクセスが行われ、シリアル番号が送信されることにより、修理依頼の要求がなされたことを検出して、入力されるシリアル番号を含む製品の固有情報の検索制御振動を製品検索部２へ出力する。
そして、製品検索部２は、出荷履歴データベース３の出荷履歴テーブルから、入力される上記シリアル番号により、製品の固有情報として、図３に示す利用者ＩＤ，製品番号，出荷構成情報，保証期間情報及び購入時保守サービス情報とを読出し、この固有情報を故障情報検索部４及び確認書生成部５に対して出力する（ステップＳ３）。
【００２３】
次に、故障情報検索部４は、入力された固有情報における製品番号により、故障情報データベース６から、この製品番号に対応した図４に示す故障現象の種類を示す故障情報テーブルを抽出し、入出力制御部１へ出力する。
そして、入出力制御部１は、上記故障情報テーブルを、対応する携帯情報端末Ｋへ送信する。
これにより、携帯情報端末Ｋは、表示部に故障情報テーブルを表示し、利用者がキー入力を用いて、製品の故障に対応する故障現象名を、故障情報データベース６における故障情報テーブルから選択することにより、選択された故障の故障現象名に対応する現象番号を、修理依頼サーバＳに対して送信する（ステップＳ４）。
【００２４】
また、ステップＳ４において、修理依頼サーバＳは、上記故障情報テーブルの送信を行わず、利用者ＩＤ，製品番号，出荷構成情報，保証期間情報及び購入時保守サービス情報の抽出のみを行い、現象番号を携帯情報端末Ｋから入力する構成とすることもできる。すなわち製品に自己診断プログラムなどの自己診断手段を設け、この自己診断手段が一定の周期にて、製品の各構成部の故障検出を行い、故障が発生したことを検出すると、故障現象を示す現象番号を含む診断コード情報、例えばバーコードや２次元コードにより、表示画面に表示（故障診断手段及び表示機能が故障した場合を除く）させるようにする構成も可能である。
このように、各製品に対して上記自己診断手段を設けることにより、利用者が携帯情報端末Ｋのデジタルカメラにより、上記製品の表示画面から診断コード情報を撮影し、携帯情報端末Ｋは抽出手段により、撮影することで入力された診断コード情報から現象番号を抽出し、この現象番号を修理依頼サーバＳに対して、インターフェース部を介して送信する。
【００２５】
また、製品に添付されているコード情報、すなわち製品にシールとして添付されている２次元バーコードにおいて、このコード情報に、統計的に多い故障の現象の現象番号を記録させておき、利用者が携帯情報端末Ｋのデジタルカメラにより、上記２次元コードを撮影し、携帯情報端末Ｋは抽出手段により、上記コード情報から現象番号を抽出し、携帯情報端末Ｋからシリアル番号とともにこの現象番号を修理依頼サーバＳに送信し、ステップＳ４を省略するようにしても良い。
さらに、ここで、複数の２次元バーコードをシールとして設け、バーコードの上部に故障の現象、例えば「電源が入らない」等の文字情報を記入することにより、利用者は何れのコード情報が対象とする現象を示す現象番号が情報として記録されたものかを確認して選択することができる。
【００２６】
次に、故障情報検索部４は、携帯情報端末Ｋから、入出力制御部１を介して入力される現象番号により、この故障現象に対応した故障の故障現象名，修理箇所，修理に必要な交換部品，その交換部品の金額である部品金額，部品交換等にかかる修理にかかる費用である修理金額を読み出し、確認書生成部５へ出力する。
そして、確認書生成部５は、上記部品金額及び修理金額を積算し、この積算結果を故障現象の修理に必要な合計金額として出力する。
【００２７】
また、確認書生成部５は、製品検索部４から入力される保証期間情報及び購入時保守サービス情報により、現在の日時と保証期間の期日とを比較して、保証期間内であるか否かの検出、及び保守サービスの保守契約の有無とを検出する。
ここで、確認書生成部５は、保守期間内である場合、または保守契約が有る場合のいずれかであれば、上記合計金額を「０」とし、保守期間内でない場合で、かつ保守契約が無い場合にそのままの合計金額として、図５に示す確認書を生成して、携帯情報端末Ｋへ送信する（ステップＳ５）。
【００２８】
次に、携帯情報端末Ｋは入力した確認書を表示部に表示し、利用者がこの確認書を確認して、納得して表示されている確認ボタンを選択することにより確認信号を、一方、納得せずに表示されているキャンセルボタンを選択することによりキャンセル信号を、修理依頼サーバＳに対して送信する。
そして、受付制御部７は、入出力制御部１を介して入力される、確認書の確認結果の信号が確認信号であることを検出した場合、処理をステップＳ７へ進め（ステップＳ６）、修理受付データベース８へ、シリアル番号に対応させて、利用者ＩＤ，現象番号，故障現象名，交換部品，部品金額，修理箇所，修理金額，保証期間情報，購入時保守サービス情報，請求金額及び修理予定日を登録し、処理をステップＳ８へ進める（ステップＳ７）。
【００２９】
一方、受付制御部７は、入出力制御部１を介して入力される、確認書の確認結果の信号がキャンセル信号であることを検出した場合、処理をステップＳ８へ進める。
次に、入出力制御部１は、携帯情報端末Ｋとの接続を切断し、修理依頼の処理を終了する。
また、携帯情報端末Ｋは、修理依頼サーバＳが接続を切断することで、修理依頼のアクセスを終了する。
【００３０】
＜第２の実施形態＞
次に、本発明の第２の実施形態の構成について説明する。携帯情報端末Ｋの構成は第１の実施形態と同様であり、製品に添付されるコード画像及び修理依頼サーバＳの構成及び動作において異なる部分を説明し、同様な部分については説明を省略する。
第２の実施形態において、修理依頼サーバＳは、製品検索部２及び出荷履歴データベース３を有していない。
まず、製品に添付してあるコード画像に、コード化された情報として、製品のシリアル番号，利用者ＩＤ，製品番号，出荷構成情報，保証期間情報および購入時保守サービス情報と、この製品に対応した故障情報テーブルとが記録しておいてもよい。
【００３１】
このとき、上記コード画像に、故障情報検索部４の現象情報名を一覧表示する機能及び確認書作成部５の確認書作成の機能をアプリケーションプログラムのコードとして、上記コード画像に記録し、修理依頼を行うとき、アプリケーションプログラムを携帯情報端末Ｋにて起動させ、確認書の生成まで行うようにしてもよい。
ここで、携帯情報端末Ｋは、コード画像を読み込み、ＵＲＬを抽出した時点において、修理依頼サーバＳへのアクセスを行い、シリアル番号及び利用者ＩＤを送信する。
【００３２】
すなわち、図６のフローチャートにおいて、ステップＳ１からステップＳ５までの処理を行い、修理依頼サーバＳは確認信号またはキャンセル信号のいずれかが入力され、ステップＳ６及びＳ７の確認信号またはキャンセル信号が入力されるかの検出処理、及び修理依頼の確定処理を実行する。
また、図４に示す故障情報テーブルが部品金額や修理金額が時期に応じて異なるため、修理依頼の処理を実行する場合に、携帯情報端末Ｋは修理依頼サーバＳにアクセスして、製品番号に対応する故障情報テーブルをダウンロードして、確認書の生成に用いる。
【００３３】
このとき、故障情報検索部４は、携帯情報端末Ｋから製品番号と現象番号とが入力されると、故障情報データベース６を検索して、対応する製品の現象番号に対応する部品金額及び修理金額を携帯情報端末Ｋへ送信する。
これにより、携帯情報端末Ｋは、ステップ５の確認書作成の処理を行う。
そして、他の処理については、すでに述べた図６におけるフローチャートの動作と同様である。
【００３４】
なお、図１における修理依頼サーバの機能を実現するためのプログラムをコンピュータ読み取り可能な記録媒体に記録して、この記録媒体に記録されたプログラムをコンピュータシステムに読み込ませ、実行することにより修理依頼の処理を行ってもよい。なお、ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００３５】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【００３６】
【図１】本発明の一実施形態による修理依頼システムの構成例を示す概念図である。
【図２】図１における修理依頼サーバＳの構成例を示すブロック図である。
【図３】出荷履歴データベース３に記憶されている出荷履歴テーブルの構成例を示す概念図である。
【図４】故障情報データベース６に記憶されている故障情報テーブルの構成例を示す概念図である。
【図５】確認書の構成例を示す概念図である。
【図６】上記修理依頼システムの動作例を示すフローチャートである。
【符号の説明】
【００３７】
１…入出力制御部      ２…製品検索部  ３…出荷履歴データベース    ４…故障情報検索部  ５…確認書生成部      ６…故障情報データベース  ７…受付制御部        ８…修理受付データベース
【図１】
2006172429.tif 000003
【図２】
2006172429.tif 000004
【図３】
2006172429.tif 000005
【図４】
2006172429.tif 000006
【図５】
2006172429.tif 000007
【図６】
2006172429.tif 000008